【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
データ処理装置に動作を実施させるための命令を格納する移動体端末上のマシン読み取り可能な媒体を備えたアーティクルであって、
前記動作が、
ブラウザアプリケーションをアクセスすることなく前記移動体端末上のデータ読み取りのための第１のユーザインターフェイスであって、前記第１のユーザインターフェイスのインストールで含まれるレイアウトデータによって規定される構造を有し、ユーザから情報を受け取ると共に前記情報を含むデータ読み取りリクエストを生成するための第１のユーザインターフェイスを表示するステップと、
前記読み取りリクエストに応答して所定のリモートロケーションから読み取られるデータであって、少なくとも一つのハイパーリングを含み、前記インストールで含まれる前記レイアウトデータに従って第２のユーザインターフェイス内に表示されるデータを表示するための前記第２のユーザインターフェイスを前記移動体端末上に表示させるステップと、
前記第２のユーザインターフェイスに表示される前記少なくとも一つのハイパーリンクのユーザ選択に関連するマークアップ言語フォーマットデータを読み取るステップと、
ブラウザアプリケーションをアクセスすることなく前記インストールで含まれる前記レイアウトデータに従って前記移動体端末上に前記マークアップ言語フォーマットデータをレンダリングするステップと
を含むアーティクル。
【請求項２】
前記所定のリモートロケーションは、前記移動体端末上に予め格納されたアドレスを含み、前記マークアップ言語フォーマットデータを読み取るためのアドレスは、前記読み取られるデータで特定される請求項１記載のアーティクル。
【請求項３】
前記読み取られるデータは、前記インストールで含まれる前記レイアウトデータに対応する構造を有する構造化データを含む請求項１記載のアーティクル。
【請求項４】
前記第１のユーザインターフェイスまたは前記第２のユーザインターフェイスのうちの少なくとも一つは、所定の機能を起動するためのユーザインターフェイスコンポーネントを含み、前記ユーザインターフェイスコンポーネント及び前記所定の機能は、前記インストールで含まれる前記レイアウトデータによって規定される請求項１記載のアーティクル。
【請求項５】
前記所定の機能は、追加のデータを読み取るステップを含み、前記マシン読み取り可能な媒体は、前記移動体端末に第３のデータユーザインターフェイスを表示するステップを含む更なる動作をデータ処理装置に実施させるための命令を格納し、前記第３のデータユーザインターフェイスは、前記インストールで含まれる前記レイアウトデータによって規定されると共に前記所定の機能に対応する構造に従って前記追加の読み取られたデータを表示する請求項４記載のアーティクル。
【請求項６】
前記マークアップ言語フォーマットデータを前記移動体端末上にレンダリングするステップは、前記移動体端末の少なくとも一つの特性に基づいて、前記レンダリングされたマークアップ言語フォーマットデータの表示を調整するステップを含む請求項１記載のアーティクル。
【請求項７】
前記命令は、Ｊａｖａ（登録商標）、Ｊ２ＭＥ(Java（登録商標）2 Platform Micro Edition)、ＢＲＥＷ(Binary Runtime Environment for Wireless)、シンビアン(Symbian)オペレーティングシステム、ネイティブ(native)オペレーティングシステム、リナックス、ポケットＰＣオペレーティングシステム、パーム(Palm)オペレーティングシステム、マイクロソフト（登録商標）オペレーティングシステム、または他の移動体ソフトウェアプラットフォームのうちの少なくとも一つを用いて記述されたソフトウェアコードを含む請求項１記載のアーティクル。
【請求項８】
移動体端末に情報を読み込む方法において、
前記移動体端末上にデータ読み取り用の第１のユーザインターフェイスを表示させるためのリクエストを受け取るステップと、
前記リクエストに応答して、ブラウザアプリケーションをアクセスすることなく、前記移動体端末上に、前記第１のユーザインターフェイスであって、前記第１のユーザインターフェイスのインストールで含まれるレイアウトデータによって規定される構造を有し、ユーザから情報を受け取ると共にデータ読み取りリクエストを生成するための第１のユーザインターフェイスを表示するステップと、
前記データ読み取りリクエストに応答して所定のロケーションから読み取られるデータであって、少なくとも一つのハイパーリングを含み、前記インストールで含まれる前記レイアウトデータに従って表示されるデータを表するための第２のユーザインターフェイスを前記移動体端末上に表示させ、
前記第２のユーザインターフェイスに表示される前記少なくとも一つのハイパーリンクのユーザ選択に関連するマークアップ言語フォーマットデータを読み取るステップと、
ブラウザアプリケーションをアクセスすることなく前記インストールで含まれる前記レイアウトデータに従って前記移動体端末上に前記マークアップ言語フォーマットデータをレンダリングするステップと
を含む方法。
【請求項９】
前記所定のリモートロケーションは、前記移動体端末に事前に格納されたアドレスを含み、前記マークアップ言語フォーマットのデータを読み取るためのアドレスは、前記読み取られたデータで特定される請求項８記載の方法。
【請求項１０】
前記読み取られるデータは、前記インストールで含まれる前記レイアウトデータに対応する構造を有する構造化データを含む請求項８記載の方法。
【請求項１１】
前記第１のユーザインターフェイスまたは前記第２のユーザインターフェイスのうちの少なくとも一つは、所定の機能を起動するためのユーザインターフェイスコンポーネントを含み、前記ユーザインターフェイスコンポーネント及び前記所定の機能は、前記インストールで含まれる前記レイアウトデータによって規定される請求項８記載の方法。
【請求項１２】
前記所定の機能は、追加のデータを読み取るステップを含み、当該方法は、前記移動体端末に第３のデータユーザインターフェイスを表示するステップを更に含み、前記第３のデータユーザインターフェイスは、前記インストールで含まれる前記レイアウトデータによって規定されると共に前記所定の機能に対応する構造に従って前記追加の読み取られたデータを表示する請求項１１記載の方法。
【請求項１３】
前記マークアップ言語フォーマットデータを前記移動体端末上にレンダリングするステップは、前記移動体端末の少なくとも一つの特性に基づいて、前記レンダリングされたマークアップ言語フォーマットデータの表示を調整するステップを含む請求項８記載の方法。
【請求項１４】
メモリと、
プロセッササと
を備えた移動体端末であって、
前記メモリは、
データ読み取り用の第１のユーザインターフェイスのレイアウトを規定するインターフェイス構造データであって、前記移動体端末上の前記第１のユーザインターフェイスのインストールで含まれるインターフェイス構造データと、
第２のユーザインターフェイスのレイアウトを規定する情報構造データであって、前記移動体端末上の前記第１のユーザインターフェイスのインストールで含まれる情報構造データとを含み、
前記プロセッサは、
前記移動体端末上に前記第１のユーザインターフェイスを表示するための第１のリクエストを受け取る機能と、
前記第１のリクエストに応答して前記メモリから前記情報構造データを読み取る機能と、
ブラウザアプリケーションをアクセスすることなく、前記移動体端末に、前記第１のユーザインターフェイスであって、前記メモリから読み取られる前記インターフェイス構造データによって規定される構造を有し、ユーザから情報を受け取ると共に前記情報を含むデータ読み取りリクエストを生成するための第１のユーザインターフェイスを表示させる機能と、
前記データ読み取りリクエストに応答して所定のリモートロケーションから読み取られるデータであって、少なくとも一つのハイパーリングを含み、前記メモリに格納された前記情報構造データに従って前記第２のユーザインターフェイス内に表示されるデータを表示するための第２のユーザインターフェイスを前記移動体端末上に表示させる機能と、
前記第２のユーザインターフェイスに表示される少なくとも一つのハイパーリンクのユーザ選択に関連するマークアップ言語フォーマットデータを読み取る機能と、
ブラウザアプリケーションをアクセスすることなく前記インストールで含まれるレイアウトデータに従って前記移動体端末上に前記マークアップ言語フォーマットデータをレンダリングする機能と
を含む移動体端末。
【請求項１５】
前記所定のリモートロケーションは、前記移動体端末に事前に格納されたアドレスを含み、前記マークアップ言語フォーマットのデータを読み取るためのアドレスは、前記読み取られたデータで特定される請求項１４記載の移動体端末。
【請求項１６】
前記読み取られるデータは、前記インストールで含まれる前記レイアウトデータに対応する構造を有する構造化データを含む請求項１４記載の移動体端末。
【請求項１７】
前記第１のユーザインターフェイスまたは前記第２のユーザインターフェイスのうちの少なくとも一つは、所定の機能を起動するためのユーザインターフェイスコンポーネントを含み、前記ユーザインターフェイスコンポーネント及び前記所定の機能は、前記メモリに格納されたデータによって規定される請求項１４記載の移動体端末。
【請求項１８】
前記所定の機能は、追加のデータを読み取る機能を含み、前記プロセッサは、更に、前記移動体端末に第３のデータユーザインターフェイスを表示するように構成され、前記第３のデータユーザインターフェイスは、前記メモリに格納され前記インストールで含まれるレイアウトデータに従って、前記追加の読み取られたデータを表示する請求項１７記載の移動体端末。
【請求項１９】
前記マークアップ言語フォーマットデータを前記移動体端末上にレンダリングする機能は、前記移動体端末の少なくとも一つの特性に基づいて、前記レンダリングされたマークアップ言語フォーマットデータの表示を調整する機能を含む請求項１４記載の移動体端末。